(57)【要約】【課題】家庭菜園などに使用する雨水を溜めるための雨水貯蔵装置に係り、特に、効率よく多量に雨水を溜めることができ、蚊やゴミなどが容器内に侵入することを防止でき、溜めた雨水が腐敗しにくく、貯水量が外部から判り、かつ、風が強くても飛ばされない雨水貯蔵装置を提供する。【解決手段】この実施形態の雨水貯蔵装置１は、雨水を貯蔵する容器２の上部に、容器２を略密閉する上蓋３を設け、降雨のときに雨を受ける２個の受け板４を上蓋３の外側から内側に向かって下がるように傾斜をつけて上蓋３上に配置している。受け板４は、外枠４ａと集雨布４ｂと集雨布４ｂを外枠４ａへ取り付けるための取付具４ｃから形成されている。【選択図】図１
2012082669.tif 000002
【特許請求の範囲】
【請求項１】
雨水を貯蔵する容器の上部に、該容器を略密閉する上蓋を設け、降雨のときに雨を受けるための外枠と集雨布と該集雨布を該外枠へ取り付けるための取付具から形成される１個以上の受け板を該上蓋の外側から内側に向かって下がるように傾斜をつけて該上蓋上に配置し、該上蓋に該受け板で受けた雨水を該容器内に流し込む集雨穴を設け、該集雨穴に蚊やゴミなどが該容器内に侵入することを防止する侵入防止網を設け、該容器が転倒することを防止するための転倒防止手段を設け、該容器の底部または側面下方から該容器内に貫通した取水穴を設け、該取水穴から雨水を取り出すための取水管を該容器の外側に設けたことを特徴とする雨水貯蔵装置。
【請求項２】
雨水を貯蔵する片開きまたは両開きの蓋付き容器の蓋を開き、該容器の上部に、該容器を略密閉する上蓋を設け、該容器に一体の開いた該蓋の上表面上に降雨のときに雨を受ける受け板を、外側から内側に向かって下がるように傾斜をつけて該蓋上に配置し、該上蓋に該受け板で受けた雨水を該容器内に流し込む集雨穴を設け、該集雨穴に蚊やゴミなどが該容器内に侵入することを防止する侵入防止網を設け、該容器が転倒することを防止するための転倒防止手段を設け、該容器の底部または側面下方から該容器内に貫通した取水穴を設け、該取水穴から雨水を取り出すための取水管を該容器の外側に設けたことを特徴とする雨水貯蔵装置。
【請求項３】
雨水を貯蔵する容器の上面に、降雨のときに雨を受ける１個以上の該容器と一体になった略水平方向および略垂直方向に可動な受け板を設け、該受け板を略水平方向に保持するための留め具を該容器に設け、該受け板には該容器に向かって下がるように傾斜を設け、該受け板で受けた雨水を該容器内に流し込む集雨穴を該容器に設け、該集雨穴に蚊やゴミなどが該容器内に侵入することを防止する侵入防止網を設け、該容器の底部または側面下方から該容器内に貫通した取水穴を設け、該取水穴から雨水を取り出すための取水管を該容器の外側に設け、該容器の底面および端面の一部を支える設置具を設けたことを特徴とする雨水貯蔵装置。
【請求項４】
雨水を貯蔵する容器の一部を地中に埋設し、該容器の一部から連通管を地上に出るように該容器に一体に設け、該連通管に降雨のときに雨を受ける該連通管と一体になった略水平方向および略垂直方向に可動な受け板を設け、該受け板には該連通間上部に向かって下がるように傾斜を設け、該受け板で受けた雨水を該容器内に流し込む集雨穴を該連通管に設け、該集雨穴に蚊やゴミなどが該容器内に侵入することを防止する侵入防止網を設け、該容器に取水するための雨水取り出し手段を設けたことを特徴とする雨水貯蔵装置。
【請求項５】
雨水を貯蔵する容器の一部または全てを地中に埋設し、該容器の一部から連通管を地上に出るように該容器に一体に設け、該連通管に降雨のときに雨を受ける受け板を設け、該受け板の下端の垂直方向の高さを地上から約２メートル以上にして、該受け板には該連通間の略中央に向かって下がるように傾斜を設け、該受け板で受けた雨水を該容器内に流し込む集雨穴を該連通管に設け、該集雨穴に蚊やゴミなどが該容器内に侵入することを防止する侵入防止網を設け、該連通管に取水するための雨水取り出し手段を設けたことを特徴とする雨水貯蔵装置。
【請求項６】
雨水を貯蔵する容器の上部に、該容器を略密閉する上蓋を設け、降雨のときに雨を受けるための１個以上の受け板を該上蓋の外側から内側に向かって下がるように傾斜をつけて該上蓋上に配置し、該受け板を出し入れできる溝を該上蓋に設け、該上蓋に該受け板で受けた雨水を該容器内に流し込む集雨穴を設け、該集雨穴に蚊やゴミなどが該容器内に侵入することを防止する侵入防止網を設け、該容器が転倒することを防止するための転倒防止手段を設け、該容器の底部または側面下方から該容器内に貫通した取水穴を設け、該取水穴から雨水を取り出すための取水管を該容器の外側に設けたことを特徴とする雨水貯蔵装置。
【請求項７】
請求項１ないし請求項６のいずれか１項に記載の雨水貯蔵装置において、前記容器の外部から液面高さを確認するための液面確認手段を設けたことを特徴とする雨水貯蔵装置。
【請求項８】
請求項１ないし請求項４のいずれか１項に記載の雨水貯蔵装置、または請求項６に記載の雨水貯蔵装置において、前記容器の側面上方に、あるいは、請求項５に記載の雨水貯蔵装置において、前記容器または前記連通管の側面上方に、オーバーフロー用穴を設けたことを特徴とする雨水貯蔵装置。
【発明の詳細な説明】
【技術分野】
【０００１】  本発明は、家庭菜園などに使用する雨水を溜めるための雨水貯蔵装置に係り、特に、雨が降っているときに家庭菜園内で効率よく雨を集めて貯蔵できるようにした雨水貯蔵装置に関する。
【背景技術】
【０００２】  家庭菜園において、野菜などを栽培するときに水は必要不可欠のものである。そのため、その水を確保するために、家庭菜園に水道を新規で引き込むことがある。また、家からそのつど必要な水を運んで使うこともある。あるいは、貯水用の容器を家庭菜園内に設置して、家から水を運んでその容器に水を溜めておく場合もある。【０００３】  しかしながら、家庭菜園に水道を引き込む場合、他人の土地を経由して配設する必要があるときは、許可を得るのが難しい。仮に許可を得ることができても、家庭菜園を一定期間借りている場合、水道を引き込む経費が高額になってしまうために現実的でない。貯水するために容器を家庭菜園内に設置することは現実的ではあるが、水を現地まで運ぶには必要量にもよるが、労力および時間の面で実用的でないことが多い。そのため、降雨量の少ない時期には、持ち運びできる程度の少量の水を水筒などに入れて、頻繁に家と家庭菜園を行き来して水を確保しているのが一般的である。【０００４】  これらの問題を解決する方法として、家庭菜園などで雨水を効率よく貯留タンクに溜めることができる雨水貯留装置（特許文献１参照）や、建物の雨樋などがなくても雨水を集める雨水貯水装置（特許文献２参照）が一般に知られている。
【先行技術文献】
【特許文献】
【特許文献１】特開２００９−１３７６４号公報
【特許文献２】特開２００４−３６３７４号公報
【発明の概要】
【発明が解決しようとする課題】
【０００５】  雨水貯留装置は、家庭菜園などで雨水を効率よく溜めることができる装置である。しかし、溜まった水を使う場合、貯留タンクを手で持ち上げる必要があるために、１個当たりの貯留タンクの容量には大きさの限界があり、多量の雨水を貯蔵するためには数多く貯留タンクを設置する必要がある。また、蚊やゴミなどが貯留タンク内に侵入する恐れがある、雨水は腐敗防止のために遮光性の高い容器に貯留することが望ましいが、遮光性の高い容器を使用すると貯留量が外部から判らない、貯留タンク内に水がない場合または少ない場合、雨水貯留装置は風が強いと飛ばされてしまう心配がある、貯留タンクから取水する場合、貯留タンクを外へ引き出してから傾ける必要があり簡便でないなどの問題がある。【０００６】  雨水貯水装置も同様に、建物の雨樋などがなくても雨水を集めることができる装置である。しかし、雨を集めるための雨水貯水装置は、家庭菜園で使用する場合、設置面積が家庭菜園の面積と比較して、その比率が相対的に大きくなることが懸念される。また、雨水貯水装置は、オーバー水放流管から泥水や地中の虫などが侵入する恐れがある、貯水槽内に雨水がない場合または少ない場合、風が強いと飛ばされてしまう心配がある、集水量が外部から判りずらいなどの問題がある。【０００７】  本発明は上述した事情に鑑みてなされたもので、家庭菜園などに使用する雨水を溜めるための雨水貯蔵装置に係り、特に、効率よく多量に雨水を溜めることができ、蚊やゴミなどが容器内に侵入することを防止でき、溜めた雨水が腐敗しにくく、貯水量が外部から判り、風が強くても飛ばされることがなく、貯蔵された雨水の取り出しが容易で、比較的小面積で設置できる雨水貯蔵装置を提供することを目的とする。
【課題を解決するための手段】
【０００８】  請求項１に記載の発明は、雨水を貯蔵する容器の上部に、該容器を略密閉する上蓋を設け、降雨のときに雨を受けるための外枠と集雨布と該集雨布を該外枠へ取り付けるための取付具から形成される１個以上の受け板を該上蓋の外側から内側に向かって下がるように傾斜をつけて該上蓋上に配置し、該上蓋に該受け板で受けた雨水を該容器内に流し込む集雨穴を設け、該集雨穴に蚊やゴミなどが該容器内に侵入することを防止する侵入防止網を設け、該容器が転倒することを防止するための転倒防止手段を設け、該容器の底部または側面下方から該容器内に貫通した取水穴を設け、該取水穴から雨水を取り出すための取水管を該容器の外側に設けたことを特徴とする雨水貯蔵装置である。【０００９】  これにより、家庭菜園などに使用する雨水を効率よく溜めることができ、多量の雨水を溜める場合でも１個の容器でまかなうことができ、蚊やゴミなどが容器内に侵入することを防止でき、溜めた雨水が腐敗しにくく、強風のとき容器が飛ばされたり集雨布が破れたりすることがなく、貯蔵された雨水の取り出しが容易で、比較的小面積で設置できる雨水貯蔵装置を提供することができる。【００１０】  請求項２に記載の発明は、雨水を貯蔵する片開きまたは両開きの蓋付き容器の蓋を開き、該容器の上部に、該容器を略密閉する上蓋を設け、該容器に一体の開いた該蓋の上表面上に降雨のときに雨を受ける受け板を、外側から内側に向かって下がるように傾斜をつけて該蓋上に配置し、該上蓋に該受け板で受けた雨水を該容器内に流し込む集雨穴を設け、該集雨穴に蚊やゴミなどが該容器内に侵入することを防止する侵入防止網を設け、該容器が転倒することを防止するための転倒防止手段を設け、該容器の底部または側面下方から該容器内に貫通した取水穴を設け、該取水穴から雨水を取り出すための取水管を該容器の外側に設けたことを特徴とする雨水貯蔵装置である。【００１１】  これにより、家庭菜園などに使用する雨水を効率よく溜めることができ、多量の雨水を溜める場合でも１個の容器でまかなうことができ、蚊やゴミなどが容器内に侵入することを防止でき、溜めた雨水が腐敗しにくく、強風のとき容器が飛ばされることがなく、貯蔵された雨水の取り出しが容易で、比較的小面積で設置できる雨水貯蔵装置を提供することができる。【００１２】  請求項３に記載の発明は、雨水を貯蔵する容器の上面に、降雨のときに雨を受ける１個以上の該容器と一体になった略水平方向および略垂直方向に可動な受け板を設け、該受け板を略水平方向に保持するための留め具を該容器に設け、該受け板には該容器に向かって下がるように傾斜を設け、該受け板で受けた雨水を該容器内に流し込む集雨穴を該容器に設け、該集雨穴に蚊やゴミなどが該容器内に侵入することを防止する侵入防止網を設け、該容器の底部または側面下方から該容器内に貫通した取水穴を設け、該取水穴から雨水を取り出すための取水管を該容器の外側に設け、該容器の底面および端面の一部を支える設置具を設けたことを特徴とする雨水貯蔵装置である。【００１３】  これにより、家庭菜園などに使用する雨水を効率よく溜めることができ、多量の雨水を溜める場合でも１個の容器でまかなうことができ、蚊やゴミなどが容器内に侵入することを防止でき、溜めた雨水が腐敗しにくく、風が強くても飛ばされることがなく、貯蔵された雨水の取り出しが容易で、比較的小面積で設置できる雨水貯蔵装置を提供することができる。【００１４】  請求項４に記載の発明は、雨水を貯蔵する容器の一部を地中に埋設し、該容器の一部から連通管を地上に出るように該容器に一体に設け、該連通管に降雨のときに雨を受ける該連通管と一体になった略水平方向および略垂直方向に可動な受け板を設け、該受け板には該連通間上部に向かって下がるように傾斜を設け、該受け板で受けた雨水を該容器内に流し込む集雨穴を該連通管に設け、該集雨穴に蚊やゴミなどが該容器内に侵入することを防止する侵入防止網を設け、該容器に取水するための雨水取り出し手段を設けたことを特徴とする雨水貯蔵装置である。【００１５】  これにより、家庭菜園などに使用する雨水を効率よく溜めることができ、多量の雨水を溜める場合でも１個の容器でまかなうことができ、蚊やゴミなどが容器内に侵入することを防止でき、溜めた雨水が腐敗しにくく、風が強くても飛ばされることがなく、貯蔵された雨水の取り出しが容易で、比較的小面積で設置できる雨水貯蔵装置を提供することができる。【００１６】  請求項５に記載の発明は、雨水を貯蔵する容器の一部または全てを地中に埋設し、該容器の一部から連通管を地上に出るように該容器に一体に設け、該連通管に降雨のときに雨を受ける受け板を設け、該受け板の下端の垂直方向の高さを地上から約２メートル以上にして、該受け板には該連通間の略中央に向かって下がるように傾斜を設け、該受け板で受けた雨水を該容器内に流し込む集雨穴を該連通管に設け、該集雨穴に蚊やゴミなどが該容器内に侵入することを防止する侵入防止網を設け、該連通管に取水するための雨水取り出し手段を設けたことを特徴とする雨水貯蔵装置である。【００１７】  これにより、家庭菜園などに使用する雨水を効率よく溜めることができ、多量の雨水を溜める場合でも１個の容器でまかなうことができ、蚊やゴミなどが容器内に侵入することを防止でき、溜めた雨水が腐敗しにくく、風が強くても飛ばされることがなく、貯蔵された雨水の取り出しが容易で、比較的小面積で設置できる雨水貯蔵装置を提供することができる。【００１８】  請求項６に記載の発明は、雨水を貯蔵する容器の上部に、該容器を略密閉する上蓋を設け、降雨のときに雨を受けるための１個以上の受け板を該上蓋の外側から内側に向かって下がるように傾斜をつけて該上蓋上に配置し、該受け板を出し入れできる溝を該上蓋に設け、該上蓋に該受け板で受けた雨水を該容器内に流し込む集雨穴を設け、該集雨穴に蚊やゴミなどが該容器内に侵入することを防止する侵入防止網を設け、該容器が転倒することを防止するための転倒防止手段を設け、該容器の底部または側面下方から該容器内に貫通した取水穴を設け、該取水穴から雨水を取り出すための取水管を該容器の外側に設けたことを特徴とする雨水貯蔵装置である。【００１９】  これにより、家庭菜園などに使用する雨水を効率よく溜めることができ、多量の雨水を溜める場合でも１個の容器でまかなうことができ、蚊やゴミなどが容器内に侵入することを防止でき、溜めた雨水が腐敗しにくく、風が強くても飛ばされることがなく、貯蔵された雨水の取り出しが容易で、比較的小面積で設置できる雨水貯蔵装置を提供することができる。【００２０】  請求項７に記載の発明は、請求項１ないし請求項６のいずれか１項に記載の雨水貯蔵装置において、前記容器の外部から液面高さを確認するための液面確認手段を設けたことを特徴とする雨水貯蔵装置である。【００２１】  これにより、家庭菜園などに使用する雨水を効率よく溜めることができ、多量の雨水を溜める場合でも１個の容器でまかなうことができ、蚊やゴミなどが容器内に侵入することを防止でき、溜めた雨水が腐敗しにくく、風が強くても飛ばされることがなく、貯蔵された雨水の取り出しが容易で、外部から容器内に貯蔵された雨水量を確認でき、比較的小面積で設置できる雨水貯蔵装置を提供することができる。【００２２】  請求項８に記載の発明は、請求項１ないし請求項４のいずれか１項に記載の雨水貯蔵装置、または請求項６に記載の雨水貯蔵装置において、前記容器の側面上方に、あるいは、請求項５に記載の雨水貯蔵装置において、前記容器または前記連通管の側面上方に、オーバーフロー用穴を設けたことを特徴とする雨水貯蔵装置である。【００２３】  これにより、家庭菜園などに使用する雨水を効率よく溜めることができ、多量の雨水を溜める場合でも１個の容器でまかなうことができ、蚊やゴミなどが容器内に侵入することを防止でき、溜めた雨水が腐敗しにくく、風が強くても飛ばされることがなく、貯蔵された雨水の取り出しが容易で、多量に雨が降っても上蓋または受け板に雨水が溜まるのを防止でき、比較的小面積で設置できる雨水貯蔵装置を提供することができる。
【発明の効果】
【００２４】  請求項１に記載の発明によれば、家庭菜園などにおいて、容器の上部に上蓋を設けたので容器を密閉でき、上蓋の外側から内側に向かって下がるように傾斜をつけた１個以上の受け板によって雨水を効率よく溜めることができ、上蓋に集雨穴を設けたので多量の雨水を溜める場合でも１個の容器でまかなうことができ、集雨穴に侵入防止網を設けたので蚊やゴミなどが容器内に侵入することを防止でき、容器は遮光性の材料で製作できるので溜めた雨水が腐敗しにくく、強風のとき、転倒防止手段を設けているので容器は飛ばされることがなく、集雨布が取付具から外れるので集雨布が破れることがなく、雨水を取り出すための取水管を設けたので貯蔵された雨水の取り出しが容易で、設置面積は容器の底面積だけになるので比較的小面積で設置できる。【００２５】  請求項２に記載の発明によれば、家庭菜園などにおいて、容器の上部に上蓋を設けたので容器を密閉でき、上蓋の外側から内側に向かって下がるように傾斜をつけた受け板によって雨水を効率よく溜めることができ、上蓋に集雨穴を設けたので多量の雨水を溜める場合でも１個の容器でまかなうことができ、集雨穴に侵入防止網を設けたので蚊やゴミなどが容器内に侵入することを防止でき、容器は遮光性の材料で製作できるので溜めた雨水が腐敗しにくく、強風のとき、転倒防止手段を設けているので容器は飛ばされることがなく、雨水を取り出すための取水管を設けたので貯蔵された雨水の取り出しが容易で、設置面積は容器の底面積だけになるので比較的小面積で設置できる。【００２６】  請求項３に記載の発明によれば、家庭菜園などにおいて、容器に向かって下がるように傾斜をつけた１個以上の受け板によって雨水を効率よく溜めることができ、容器に集雨穴を設けたので多量の雨水を溜める場合でも１個の容器でまかなうことができ、集雨穴に侵入防止網を設けたので蚊やゴミなどが容器内に侵入することを防止でき、容器は遮光性の材料で製作できるので溜めた雨水が腐敗しにくく、強風のとき、容器を支える設置具を設けているので容器は飛ばされることがなく、雨水を取り出すための取水管を設けたので貯蔵された雨水の取り出しが容易で、受け板は略水平方向および略垂直方向に可動できるので、雨水を溜めるときには受け板を略水平に保ち、家庭菜園内で作業をする時には受け板を垂直に保つことができるので、比較的小面積で設置できる。【００２７】  請求項４に記載の発明によれば、家庭菜園などにおいて、受け板によって雨水を効率よく溜めることができ、多量の雨水を溜める場合でも１個の容器でまかなうことができ、受け板を地中に埋設した容器と一体になった連通管に一体で取り付けたので、強風でも飛ばされることがなく、雨水を取り出すための雨水取り出し手段を設けたので貯蔵された雨水の取り出しが容易で、容器と一体になった略水平方向および略垂直方向に可動な受け板を設けたので、雨水を溜めるときには受け板を略水平に保ち、家庭菜園内で作業をする時には受け板を垂直に保つことができるので、比較的小面積で設置でき、容器は地中に埋設するので溜めた雨水が腐敗しにくい。【００２８】  請求項５に記載の発明によれば、家庭菜園などにおいて、受け板によって雨水を効率よく溜める��とができ、多量の雨水を溜める場合でも１個の容器でまかなうことができ、受け板を地中に埋設した容器と一体になった連通管に一体で取り付けたので、強風でも飛ばされることがなく、雨水を取り出すための雨水取り出し手段を設けたので貯蔵された雨水の取り出しが容易で、受け板の下端の垂直方向の高さを地上から約２メートル以上にしたので、家庭菜園内で作業をする時には作業者の邪魔にならず、比較的小面積で設置でき、容器は地中に埋設するので溜めた雨水が腐敗しにくい。【００２９】  請求項６に記載の発明によれば、家庭菜園などにおいて、容器の上部に上蓋を設けたので容器を密閉でき、上蓋の外側から内側に向かって下がるように傾斜をつけた１個以上の受け板によって雨水を効率よく溜めることができ、上蓋に集雨穴を設けたので多量の雨水を溜める場合でも１個の容器でまかなうことができ、集雨穴に侵入防止網を設けたので蚊やゴミなどが容器内に侵入することを防止でき、容器は遮光性の材料で製作できるので溜めた雨水が腐敗しにくく、強風のとき、転倒防止手段を設けているので容器は飛ばされることがなく、雨水を取り出すための取水管を設けたので貯蔵された雨水の取り出しが容易で、上蓋に受け板を出し入れできる溝を設けたので、家庭菜園内で作業をする時には受け板を溝に戻すことによって作業者の邪魔にならず、設置面積は容器の底面積だけになるので比較的小面積で設置できる。【００３０】  請求項７に記載の発明によれば、請求項１ないし請求項６のいずれか１項に記載の雨水貯蔵装置において、容器の外部から液面高さを確認するための液面確認手段を設けたので、前述の効果に加え、外部から容器内に貯蔵された雨水量を確認できる。【００３１】  請求項８に記載の発明によれば、請求項１ないし請求項４または請求項６のいずれか１項に記載の雨水貯蔵装置において、容器の側面上方にオーバーフロー用穴を設けたので、前述の効果に加え、上蓋または受け板に雨水が溜まることを防止できるために、蚊によるボウフラの発生を抑止できる。あるいは、請求項５に記載の雨水貯蔵装置において、容器または連通管の側面上方にオーバーフロー用穴を設けたので、前述の効果に加え、受け板に雨水が溜まることを防止できるために、蚊によるボウフラの発生を抑止できる。
【図面の簡単な説明】
【００３２】
【図１】本発明の実施形態の雨水貯蔵装置を示す側面図である。
【図２】図１の平面図である。
【図３】図１のＡ矢視図の一部である。
【図４】上蓋の例を示す斜傾図である。
【図５】外枠の例を示す平面図である。
【図６】図５の側面図である。
【図７】図５のＢ部を示す詳細図である。
【図８】図５のＣ部を示す詳細図である。
【図９】受け板の例を示す平面図である。
【図１０】図９の側面図である。
【図１１】図１０のＤ部を示す詳細図である。
【図１２】図９のＥ断面を示す断面図である。
【図１３】図９のＦ矢視図である。
【図１４】本発明の実施形態の他の雨水貯蔵装置を示す側面図である。
【図１５】受け板の例を示す斜傾図である。
【図１６】本発明の実施形態の他の雨水貯蔵装置を示す平面図である。
【図１７】図１６の側面図である。
【図１８】図１６の正面図である。
【図１９】図１６の側面図である。
【図２０】本発明の実施形態の他の雨水貯蔵装置を示す正面図である。
【図２１】図２０の平面図である。
【図２２】図２１における断面Ｘ−Ｘを示す断面図である。
【図２３】図２１の側面図である。
【図２４】本発明の実施形態の他の雨水貯蔵装置を示す平面図である。
【図２５】本発明の実施形態の他の雨水貯蔵装置を示す正面図である。
【図２６】図２５の平面図である。
【図２７】本発明の実施形態の他の雨水貯蔵装置を示す正面図である。
【図２８】図２７の平面図である。
【図２９】本発明の実施形態の他の雨水貯蔵装置を示す平面図である。
【図３０】図２９における断面Ｙ−Ｙを示す断面図である。
【図３１】図２９の正面図である。
【図３２】本発明の実施形態の他の雨水貯蔵装置を示す部分的な側面図である。
【図３３】本発明の実施形態の他の雨水貯蔵装置を示す部分的な断面図である。
【図３４】図３３の正面図である。
【発明を実施するための形態】
【００３３】  以下、本発明の実施形態を図面に基づいて説明する。
図１は、請求項１に記載の発明の実施形態を示す側面図であり、図２は図１の平面図、図３は図１のＡ矢視図の一部である。図１および図２に示すように、この実施形態の雨水貯蔵装置１は、雨水を貯蔵する容器２の上部に、容器２を略密閉する上蓋３を設け、降雨のときに雨を受ける２個の受け板４を上蓋３の外側から内側に向かって下がるように傾斜をつけて上蓋３上に配置している。受け板４は、外枠４ａと集雨布４ｂと集雨布４ｂを外枠４ａへ取り付けるための取付具４ｃから形成されている。
【００３４】  また、上蓋３に受け板４で受けた雨水を容器２内に流し込む３個の集雨穴５を設け、集雨穴５に蚊やゴミなどが容器２内に侵入することを防止する侵入防止網６を設け、容器２内に強風などで転倒することを防止するための転倒防止手段である錘７を格納し、図３に示すように、容器２の側面下方から容器２内に貫通した取水穴８を設け、取水穴８から雨水を取り出すための取水管９を容器２の外側に設け、取水管９の端部に弁１０を設けている。
【００３５】  図４に上蓋３の詳細を示す。中央付近にある最低部に３個の集雨穴５を設け、この集雨穴５を覆うように侵入防止網６をねじで止める。侵入防止網６の目の大きさは、木の葉などの侵入を防止できる大きさにするが、さらに、蚊などが侵入できない程度の大きさにして、容器２内に「ぼうふら」が発生するのを防止する。
【００３６】  ここで、外枠４ａと集雨布４ｂと集雨布４ｂを外枠４ａへ取り付けるための取付具４ｃから形成されている受け板４の構成について説明する。
【００３７】  図５は、外枠４ａを示す平面図、図６は図５の側面図、図７は図５のＢ部を示す詳細図、図８は図５のＣ部を示す詳細図である。図５に示すように、外枠４ａは、管１１ないし管１７を、図７および図８に示す抜き差し可能な差込み棒１８ないし差込み棒２０を介して一体に結合する。そして、管１１は、図５に示すように、両端にねじを設けた枠取付棒２１を管１１の内側を通し、管１１および枠取付棒２１を容器２および上蓋３に貫通した受け板取付穴２３を通して、枠取付棒２１の両端をナットで締め付けて回転自在に容器２に取り付けられている。
【００３８】  図９は、受け板４の構成を示す平面図である。図９に示すように、集雨布４ｂは管１１の外周に装着され、かつ、管１２および管１４ないし管１７に取り付けられた取付具４ｃによって、集雨可能なように拡げて支えられている。また、集雨布４ｂの管１１近傍には、集雨布４ｂ上を流れ落ちた雨水を上蓋３に落とすための雨水落下穴２４を設けている。
【００３９】  受け板４が１個の場合、図５において、管１１は、ナット２２を介して容器２に固定する。しかし、受け板４が２個以上のときは、受け板４を相互に結合すると、受け板４の安定性が増す。図１０は図９の側面図、図１１は図１０のＤ部を示す詳細図である。図１１に示すように、保持棒取付具２５に一体に取り付けられた枠保持棒２６を、ボルト２７を利用して管１２および管１４に固定する。２個の受け板４それぞれに枠保持棒２６を固定した状態を図１に示す。
【００４０】  また、図１２は図９のＥ断面を示す断面図で、集雨布４ｂを管１１の外周に取り付けた状態を示す。図１２に示すように、集雨布４ｂには、２個所に相互に着脱可能な接着材（マジックテープ（商品名）など）２８を取り付けて、管１１に巻いて集雨布４ｂを装着する。
【００４１】  図１３は図９のＦ矢視図で、外枠４ａと集雨布４ｂと取付具４ｃを取り付けた状態を示す。集雨布４ｂの管１１に装着する個所および管１３以外は、図１３に示すように、一端に穴があいて他端がばねで開閉できるようにした取付具４ｃで留める。すなわち、取付具４ｃの一端を管１２および管１４ないし管１７に通し、他端で集雨布４ｂをはさんで留める。取付具４ｃの数は、強風のとき、集雨布４ｂが取付具４ｃから部分的に外れる程度にし、かつ、あまりたわまないよう適宜決められる。
【００４２】  このように構成することによって、家庭菜園などにおいて、容器２の上部に上蓋３を設けたので容器２を密閉でき、上蓋３の外側から内側に向かって下がるように傾斜をつけた１個以上の受け板４によって雨水を効率よく溜めることができ、上蓋３に集雨穴５を設けたので多量の雨水を溜める場合でも１個の容器２でまかなうことができ、集雨穴５に侵入防止網６を設けたので蚊やゴミなどが容器２内に侵入することを防止でき、容器２は遮光性の材料で製作できるので溜めた雨水が腐敗しにくく、強風のとき、転倒防止手段７を設けているので容器２は飛ばされることがなく、かつ、集雨布４ｂが取付具４ｃから外れるので集雨布４ｂが破れることがなく、雨水を取り出すための取水管９および弁１０を設けたので貯蔵された雨水の取り出しが容易で、設置面積は容器２の底面積だけになるので比較的小面積で設置できる。
【００４３】  図５に示した受け板４は、管１５および管１７を外し、管１６を管１３に取付けて、管１１ないし管１４およびこれらの管で囲まれる面積の集雨布４ｂから構成して、集雨布４ｂの面積を小さくしてもよく、また、管１３に直管（図示しない）を追加して、受け板４の面積を増加してもよい。受け板４は、図１において両側２個所に設けているが、どちらか１個所でもよい。いずれにしても、雨水を集めるための面積を持った板であればよい。
【００４４】  容器２は、市販されている蓋付きの容器を流用して、その蓋を分離して、本発明の上蓋に流用すれば安価に製作できる。また、図１に示すように、容器２を基礎台２９上に設置すると、蛞蝓などが容器２の底面に入り込むことを防止できる。また、容器２内に適量の雨水が溜まっている場合、あるいは水を持ち込んで容器２内に入れた場合、錘７は使用しなくてもよい。
【００４５】  図１４は、請求項２に記載の発明の実施形態を示す側面図、図１５は受け板の詳細を示す斜傾図である。以下、前記請求項１で説明した実施形態と同一または相当部分には、同一の符号を付して、その重複した説明を省略する。
【００４６】  図１４に示すように、容器２の側面上部に蓋５１を開閉するときに必要な容器２と一体になった蝶番５２を設ける。この蝶番５２によって、蓋５１は開閉自在になっていて、かつ、蓋５１が上蓋３の外側から内側に向かって下がるように傾斜をつけられている。
【００４７】  次に、受け板４の構成について説明する。図１５に示すように、受け板４は、上蓋５１の上表面上に４個所ねじ５３で固定されていて、受け板４の下端は上蓋３と少し重なる個所５４まで長くする。こうすることによって、雨水は受け板４から上蓋３に円滑に流れ込む。容器２は、市販されている蓋付きの容器を流用すれば安価に製作できる。
【００４８】  このように構成することによって、家庭菜園などにおいて、容器２の上部に上蓋３を設けたので容器２を密閉でき、上蓋３の外側から内側に向かって下がるように傾斜をつけた受け板４によって雨水を効率よく溜めることができ、上蓋３に集雨穴５を設けたので多量の雨水を溜める場合でも１個の容器２でまかなうことができ、集雨穴５に侵入防止網６を設けたので蚊やゴミなどが容器２内に侵入することを防止でき、容器２は遮光性の材料で製作できるので溜めた雨水が腐敗しにくく、強風のとき、転倒防止手段７を設けているので容器２は飛ばされることがなく、雨水を取り出すための取水管９および弁１０を設けたので貯蔵された雨水の取り出しが容易で、設置面積は容器２の底面積だけになるので比較的小面積で設置できる。
【００４９】  図１６は、請求項３に記載の発明の実施形態を示す平面図であり、図１７および図１９は図１６の側面図、図１８は図１６の正面図である。以下、前記請求項１および請求項２で説明した実施形態と同一または相当部分には、同一の符号を付して、その重複した説明を省略する。
【００５０】  図１６および図１７に示すように、容器２の上面を張り出して覆う２個の受け板４が容器２の上面に配置されている。この２個の受け板４は、容器２に一体に取り付いている心棒１０１に略水平方向および略垂直方向に可動できるように取り付けられていて、受け板４には容器２に向かって下がるように傾斜を設けている。
【００５１】  そして、受け板４は、受け板４が略水平にあるときに、中央部にある留め具１０２によって固定されていて、略垂直にするときは、留め具１０２から外して、それぞれの位置に変えることができる。そして、受け板４を略水平から略垂直に変える操作を容易に行うために錘１０３を、受け板４の端に取り付けている。図１７に受け板４が略水平になった状態、図１８に受け板４が略垂直になった状態を示す。また、容器２は、容器２の底面および端面の一部を支える設置具１０４によって、地上に設置されている。
【００５２】  次に、受け板４の取扱い方法について説明する。図１７に示すように、受け板４は、容器２に一体に取り付いている心棒１０１に略水平と略垂直方向に可動できるように取り付けられているので、例えば、本発明の雨水貯蔵装置１を家庭菜園内の通路に設置した場合、集雨の時には、受け板４を略水平にしておき、通路を人が通行するときに一時的に受け板４を略垂直にすることによって、通行しやすくできる。
【００５３】  このように構成することによって、家庭菜園などにおいて、容器２に向かって下がるように傾斜をつけた１個以上の受け板４によって雨水を効率よく溜めることができ、容器２に集雨穴５を設けたので多量の雨水を溜める場合でも１個の容器２でまかなうことができ、集雨穴５に侵入防止網６を設けたので蚊やゴミなどが容器内に侵入することを防止でき、容器２は遮光性の材料で製作できるので溜めた雨水が腐敗しにくく、強風のとき、容器２を支える設置具１０４を設けているので容器２は飛ばされることがなく、雨水を取り出すための取水管９および弁１０を設けたので貯蔵された雨水の取り出しが容易で、受け板４は略水平方向および略垂直方向に可動できるので、雨水を溜めるときには受け板４を略水平に保ち、家庭菜園内で作業をする時には受け板４を垂直に保つことができるので、比較的小面積で設置できる。
【００５４】  図２０は、請求項４に記載の発明の実施形態を示す正面図であり、図２１は図２０の平面図、図２２は図２１における断面Ｘ−Ｘを示す断面図、図２３は図２１の側面図である。以下、前記請求項１ないし請求項３で説明した実施形態と同一または相当部分には、同一の符号を付して、その重複した説明を省略する。
【００５５】  図２０に示すように、水平部２ａが地中１５１に埋設され、垂直部２ｂが地上に出ている容器２から、地上に出るように第１連通管１５２および第２連通管１５３が容器２と一体で設けられていて、第２連通管１５３の上に、受け板４が２個配置されている。この２個の受け板４は、第２連通管１５３にそれぞれ一体に取り付いている心棒１０１によって、略水平方向および略垂直方向に可動できるように取り付けられている。そして、受け板４には第２連通管１５３の略中央に向かって下がるように傾斜を設け、受け板４で受けた雨水を第２連通管１５３に流し込む集雨穴５を第２連通管１５３に設け、集雨穴５に蚊やゴミなどが第２連通管１５３内に侵入することを防止する侵入防止網６を設けている。
【００５６】  また、容器２の垂直部２ｂに垂直部２ｂに貫通して、垂直部２ｂの中を点検するための点検穴２０１を設け、点検穴２０１には点検穴用蓋２０２を設けている。さらに、容器２の垂直部２ｂには、手動ポンプ１５４を設置している。
【００５７】  次に、受け板４の取扱い方法について説明する。図２２に示すように、受け板４は、第２連通管１５３に一体に取り付いている心棒１０１によって、略水平と略垂直方向に可動できるように取り付けられているので、例えば、本発明の雨水貯蔵装置１を家庭菜園内の通路に設置した場合、集雨の時には、図２２に示すように、受け板４を略水平にしておき、通路を通行するときに、図２３に示すように、一時的に受け板４を略垂直にすることによって、通行しやすくできる。
【００５８】  このように構成することによって、家庭菜園などにおいて、受け板４によって雨水を効率よく溜めることができ、多量の雨水を溜める場合でも１個の容器２でまかなうことができ、受け板４を地中に埋設した容器の水平部２ａと一体になった第１連通管１５２および第２連通管１５３に一体で取り付けたので、強風でも飛ばされることがなく、容器２と一体になった略水平方向および略垂直方向に可動な受け板４を設けたので、雨水を溜めるときには受け板を略水平に保ち、家庭菜園内で作業をする時には受け板を垂直に保つことができるので、比較的小面積で設置でき、容器は地中に埋設するので溜めた雨水が腐敗しにくい。また、容器２の垂直部２ｂに手動ポンプ１５４を設けたので、手動ポンプ１５４によって、貯蔵された雨水は容易に取り出すことができる。
【００５９】  また、容器２は、図２４の平面図に示すように、水平部２ａを連通した容器２にすると、多量の雨水を貯蔵できる。容器２の断面は、図２２および図２３では円形で示したが、円形でなくともよい。
【００６０】  図２５は、請求項５に記載の発明の実施形態を示す正面図であり、図２６は図２５の平面図である。以下、前記請求項４で説明した実施形態と同一または相当部分には、同一の符号を付して、その重複した説明を省略する。
【００６１】  図２５に示すように、地中１５１に埋設されている容器２から、地上に出るように第１連通管１５２が容器２と一体で設けられていて、第１連通管１５２の上に、受け板４が１個配置されている。そして、受け板４は第１連通管１５２の略中央に向かって下がるように傾斜を設け、受け板４で受けた雨水を第１連通管１５２に流し込む集雨穴５を第１連通管１５２に設け、集雨穴５に蚊やゴミなどが第１連通管１５２内に侵入することを防止する侵入防止網６を設け、第１連通管１５２の途中に第１連通管１５２に貫通して、第１連通管１５２の中を点検するための点検穴２０１を設け、点検穴２０１には点検穴用蓋２０２を設けて閉止している。また、受け板４の下端の垂直方向の高さ２０３は、地上から約２メートル以上にし、さらに、第１連通管１５２内には、手動ポンプ１５４を設置している。
【００６２】  このように構成することによって、家庭菜園などにおいて、受け板４によって雨水を効率よく溜めることができ、多量の雨水を溜める場合でも１個の容器２でまかなうことができ、受け板を地中に埋設した容器２と一体になった第一連通管１５２に一体で取り付けたので、強風でも飛ばされることがなく、受け板の下端の垂直方向の高さ２０１を地上から約２メートル以上にしたので、家庭菜園内で作業をする時には作業者の邪魔にならず、比較的小面積で設置でき、容器２は地中に埋設するので溜めた雨水が腐敗しにくい。また、第１連通管１５２の途中に点検穴２０１を設けたので、点検穴２０１から紐などを第一連通管１５２の中に垂らして、溜まった雨水の液面を知ることができ、また、第一連通管１５２内には手動ポンプ１５４を設けたので、手動ポンプ１５４によって、貯蔵された雨水は容易に取り出すことができる。
【００６３】  図２７は、請求項５に記載の発明の他の実施形態を示す正面図であり、図２８は図２７の平面図である。以下、前記請求項４および請求項５で説明した実施形態と同一または相当部分には、同一の符号を付して、その重複した説明を省略する。
【００６４】  図２７に示すように、水平部２ａが地中１５１に埋設され、垂直部２ｂが地上に出ている容器２の両端から、地上に出るように２個の第１連通管１５２が容器２と一体で設けられていて、第１連通管１５２の上に、それぞれ受け板４が配置されている。
【００６５】  このように構成することによって、前記請求項５に記載の発明の実施形態で説明した効果に加え、さらに多量の雨水を溜めることができる。
【００６６】  図２９は、請求項６に記載の発明の実施形態を示す平面図であり、図３０は図２９における断面Ｙ−Ｙを示す断面図、図３１は図２９の正面図である。以下、前記請求項１および請求項２で説明した実施形態と同一または相当部分には、同一の符号を付して、その重複した説明を省略する。
【００６７】  図２９ないし図３１に示すように、この実施形態の雨水貯蔵装置１は、雨水を貯蔵する容器２の上部に、該容器を略密閉する上蓋３を設け、降雨のときに雨を受けるための２個の受け板４を上蓋３の外側から内側に向かって下がるように傾斜をつけて上蓋３上に配置し、受け板４を出し入れできる溝２１１を上蓋３に一体に設けている。また、受け板４には、上蓋３の上方に重なる個所に凹部２１２および雨水落下穴２４を設け、雨水が受け板４に溜まることを防止している。
【００６８】  このように構成することによって、前記請求項２に記載の発明の実施形態で説明した効果に加え、上蓋３に受け板４を出し入れできる溝２１１を設けたので、家庭菜園内で作業をする時には、受け板４を溝２１１に戻すことによって作業用の空間が確保できる。
【００６９】  図３２は、請求項７に記載の発明の実施形態を示す部分的な側面図である。以下、前記請求項１ないし請求項６で説明した実施形態と同一または相当部分には、同一の符号を付して、その重複した説明を省略する。
【００７０】  図３２に示すように、取水管９から枝管２５１を分岐させて、枝管２５１に液面高さを確認するための液面確認手段である目視可能な略透明な液面表示管２５２を設け、液面表示管２５２の上方を保持具２５３で容器２に固定している。この実施形態は、前記請求項１ないし請求項４および請求項６に記載の雨水貯蔵装置１に適用できる。
【００７１】  このように構成することによって、前記請求項１ないし請求項４および請求項６に記載の発明の実施形態で説明した効果に加え、容器２の外部から目視可能な略透明な液面高さを確認するための液面表示管２５２を設けたので、外部から容器内に貯蔵された雨水量を確認できる。また、液面表示管２５２には目視で液面を確認するとき以外は、遮光性のある材料で覆い（図示せず）をしておくと、液面表示管２５２内に藻が発生することを防止できる。
【００７２】  また、図２５および図２７に示すように、点検穴用蓋２０２は、第１連通管１５２内または容器２の垂直部２ｂ内を点検するために使用する他に、液面高さを確認するための液面確認手段として使用する。すなわち、点検穴用蓋２０２を外して、紐（図示せず）の先端に錘を付けて、その紐を点検用穴２０１から第１連通管１５２内または容器２の垂直部２ｂ内へ落とし込んで、紐が水を吸って変色した個所を確認することによって、液面を確認する。この実施形態は、前記請求項５に記載の雨水貯蔵装置１に適用できる。
【００７３】  このように構成することによって、前記請求項５に記載の発明の実施形態で説明した効果に加え、第１連通管１５２内または容器２の垂直部２ｂ内を点検するための点検用穴２０１および点検穴用蓋２０２を設けたので、外部から容器内に貯蔵された雨水の液面高さを確認できる。
【００７４】  図３３は、請求項８に記載の発明の実施形態を示す部分的な断面図であり、図３４は図３３の正面図である。図３３および図３４に示すように、容器２または第１連通管の側面上方にオーバーフロー用穴３０１を設け、オーバーフロー器具３０２をオーバーフロー用穴３０１にはめ込んでいる。オーバーフロー器具３０２は、変形可能なゴムなどで製作され、中央部に十文字に貫通した十文字溝３０２ａを設けている。十文字溝３０２ａの溝幅は、蚊などが侵入できない程度の大きさにしている。
【００７５】  このように構成することによって、前記請求項１ないし請求項６に記載の発明の実施形態で説明した効果に加え、オーバーフロー器具３０２をオーバーフロー用穴３０１にはめ込んだことによって、上蓋３に雨水が溜まることを防止できるために、蚊によるボウフラの発生を抑止できる。
【符号の説明】
【００７６】１  雨水貯蔵装置
２  容器
２ａ  水平部
２ｂ  垂直部
３  上蓋
４  受け板
４ａ  外枠
４ｂ  集雨布
４ｃ  取付具
５  集雨穴
６  侵入防止網
７  錘
８  取水穴
９  取水管
１０  弁
１１、１２、１３、１４、１５、１６、１７  管
１８、１９、２０  差込み棒
２１  枠取付棒
２２  ナット
２３  受け板取付穴
２４  雨水落下穴
２５  保持棒取付具
２６  枠保持棒
２７  ボルト
２８  接着材
２９  基礎台
５１  蓋
５２  蝶番
５３  ねじ
５４  個所
１０１  心棒
１０２  留め具
１０３  錘
１０４  設置具
１５１  地中
１５２  第１連通管
１５３  第２連通管
１５４  手動ポンプ
２０１  点検穴
２０２  点検穴用蓋
２０３  高さ
２１１  溝
２１２  凹部
２５１  枝管
２５２  液面表示管
２５３  保持具
３０１  オーバーフロー用穴
３０２  オーバフロー器具
３０２ａ  十文字溝
【図１】
2012082669.tif 000003
【図２】
2012082669.tif 000004
【図３】
2012082669.tif 000005
【図４】
2012082669.tif 000006
【図５】
2012082669.tif 000007
【図６】
2012082669.tif 000008
【図７】
2012082669.tif 000009
【図８】
2012082669.tif 000010
【図９】
2012082669.tif 000011
【図１０】
2012082669.tif 000012
【図１１】
2012082669.tif 000013
【図１２】
2012082669.tif 000014
【図１３】
2012082669.tif 000015
【図１４】
2012082669.tif 000016
【図１５】
2012082669.tif 000017
【図１６】
2012082669.tif 000018
【図１７】
2012082669.tif 000019
【図１８】
2012082669.tif 000020
【図１９】
2012082669.tif 000021
【図２０】
2012082669.tif 000022
【図２１】
2012082669.tif 000023
【図２２】
2012082669.tif 000024
【図２３】
2012082669.tif 000025
【図２４】
2012082669.tif 000026
【図２５】
2012082669.tif 000027
【図２６】
2012082669.tif 000028
【図２７】
2012082669.tif 000029
【図２８】
2012082669.tif 000030
【図２９】
2012082669.tif 000031
【図３０】
2012082669.tif 000032
【図３１】
2012082669.tif 000033
【図３２】
2012082669.tif 000034
【図３３】
2012082669.tif 000035
【図３４】
2012082669.tif 000036